(57)【要約】移動体放送サービスプロバイダ132が放送する移動体放送番組の宛先を転換するためのポータブル移動体通信装置110であって、移動体放送装置250と、移動体放送サービスプロバイダ132と通信可能な移動体放送宛先転換アプリケーション220を実行するプロセッサ220と、移動体放送の受信信号品質が満足できないレベルに低下した場合330に移動体放送番組が代替装置へ宛先転換されることが可能なように移動体放送装置250及び移動体放送宛先転換アプリケーション222を制御するためのユーザインタフェース210とを含む。代替装置は、移動体放送サービスプロバイダ132とインターネット140を介して接続され、かつ通信可能な、ホームメディアサーバ160、コンピュータ150、又は移動体無線アクセスネットワーク(M-RAN)を含むことが可能である。
2009521836.tif 000002
【特許請求の範囲】
【請求項１】
受信信号品質がポータブル移動体通信装置110において満足できないレベルに低下した場合に、移動体放送サービスプロバイダ132が放送する移動体放送番組の宛先を転換するための前記ポータブル移動体通信装置110であって、
移動体放送受信器254と、
前記移動体放送の前記受信信号品質を監視するとともに、前記移動体放送サービスプロバイダ132と通信可能な移動体放送宛先転換アプリケーション222を実行するプロセッサ220と、
前記受信信号品質が満足できないレベルに低下した場合に前記移動テレビ放送番組が代替装置へ宛先転換されることが可能なように移動体放送装置250及び前記移動体放送宛先転換アプリケーション222を制御するためのユーザインタフェース210とを有することを特徴とするポータブル移動体通信装置110。
【請求項２】
前記移動体放送の前記受信信号品質が、ピーク信号対雑音比(PSNR)測定値を用いて監視されることを特徴とする請求項１記載のポータブル移動体通信装置110。
【請求項３】
現在の前記ピーク信号対雑音比(PSNR)測定値が予め設定されたピーク信号対雑音比(PSNR)測定値を下回った場合に、満足できない信号品質レベルであると判定されることを特徴とする請求項２記載のポータブル移動体通信装置110。
【請求項４】
前記移動体放送の前記受信信号品質が、ビット誤り率(BER)測定値を用いて監視されることを特徴とする請求項１記載のポータブル移動体通信装置110。
【請求項５】
現在の前記ビット誤り率(BER)測定値が予め設定されたビット誤り率 (EBR)測定値を下回った場合に、満足できない信号品質レベルであると判定されることを特徴とする請求項４記載のポータブル移動体通信装置110。
【請求項６】
移動体放送サービスプロバイダ132がポータブル移動体通信装置110へ放送する移動体放送番組の宛先を転換するための、前記ポータブル移動体通信装置110における方法であって、
移動体放送320の受信信号品質を監視するステップと、
前記ポータブル移動体通信装置のディスプレイを介して、選択された放送番組の前記受信信号品質が満足できないレベルに低下した場合330に前記選択された放送番組の代替宛先を指定させるステップと、
前記ポータブル移動体通信装置上のユーザインタフェースから、前記選択された放送番組の前記代替宛先を特定する入力を受信するステップと、
前記移動体放送サービスプロバイダからの前記選択された放送番組の宛先を前記代替宛先へ転換させるステップ370, 380, 390, 395とを有することを特徴とする方法。
【請求項７】
前記移動体放送サービスプロバイダからの前記選択された放送番組の宛先を前記代替宛先へ転換させるステップ370, 380, 390, 395が、
前記選択された放送番組のための前記代替宛先を特定する、前記受信した入力を処理するステップと、
前記移動体放送サービスプロバイダからの前記選択された放送番組コンテンツを前記代替宛先のIPアドレスへストリーミングさせる命令とともにメッセージを前記移動体放送サービスプロバイダへ無線送信するステップとを有することを特徴とする請求項６記載の方法。
【請求項８】
前記代替宛先が、インターネット140を介して前記移動体放送サービスプロバイダ132に接続されるホームメディアサーバ370を含むことを特徴とする請求項６記載の方法。
【請求項９】
前記代替宛先が、インターネット140を介して前記移動体放送サービスプロバイダ132に接続されるコンピュータ380を含むことを特徴とする請求項６記載の方法。
【請求項１０】
前記代替宛先が、インターネット140を介して前記移動体放送サービスプロバイダ132に接続される移動体無線アクセスネットワーク(M-RAN)390を含むことを特徴とする請求項６記載の方法。
【請求項１１】
ポータブル移動体通信装置110において、移動体放送サービスプロバイダ132が前記ポータブル移動体通信装置110へ放送する移動体放送番組の宛先を転換するための、コンピュータ読み取り可能な記録媒体上で実現されるコンピュータプログラム製品であって、
移動体放送320の受信信号品質を監視するためのコンピュータプログラムコードと、
前記ポータブル移動体通信装置のディスプレイを介して、選択された放送番組の前記受信信号品質が満足できないレベルに低下した場合330に前記選択された放送番組の代替宛先を指定させるためのコンピュータプログラムコードと、
前記ポータブル移動体通信装置上のユーザインタフェースから、前記選択された放送番組の前記代替宛先を特定する入力を受信するためのコンピュータプログラムコード360と、
前記移動体放送サービスプロバイダからの前記選択された放送番組の宛先を前記代替宛先へ転換させるためのコンピュータプログラムコード370, 370, 380, 395とを有することを特徴とするコンピュータプログラム製品。
【請求項１２】
前記移動体放送サービスプロバイダからの前記選択された放送番組の宛先を前記代替宛先へ転換させるためのコンピュータプログラムコード370, 380, 390, 395が、
前記選択された放送番組のための前記代替宛先を特定する、前記受信した入力を処理するステップと、
前記移動体放送サービスプロバイダからの前記選択された放送番組コンテンツを前記代替宛先のIPアドレスへストリーミングさせる命令とともにメッセージを前記移動体放送サービスプロバイダへ無線送信するステップとを有することを特徴とする請求項１１記載のコンピュータプログラム製品。
【請求項１３】
移動体放送サービスプロバイダ132がポータブル移動体通信装置110へ放送する移動体放送番組のためのベアラを切り替えるための、前記ポータブル移動体通信装置110における方法であって、
移動体放送320の受信信号品質を監視するステップと、
前記ポータブル移動体通信装置のディスプレイを介して、選択された放送番組の元のベアラ上での前記受信信号品質が満足できないレベルに低下した場合330の前記選択された放送番組のための代替ベアラを指定させるステップと、
前記ポータブル移動体通信装置上のユーザインタフェースから、前記選択された放送番組のための前記代替ベアラを特定する入力を受信するステップ360と、
前記移動体放送サービスプロバイダから前記ポータブル移動体通信装置へ放送中の前記選択された放送番組のベアラを切り替えるステップ395とを有することを特徴とする方法。
【請求項１４】
前記移動体放送サービスプロバイダから前記ポータブル移動体通信装置へ放送中の前記選択された放送番組のベアラを切り替えるステップが、
前記選択された放送番組のための前記代替ベアラを特定する、前記受信された入力を処理するステップと、
前記代替ベアラへ切り替えさせる命令とともにメッセージを前記移動体放送サービスプロバイダへ無線送信するステップとを有することを特徴とする請求項１３記載の方法。
【請求項１５】
ポータブル移動体通信装置110において、移動体放送サービスプロバイダ132が前記ポータブル移動体通信装置110へ放送する移動体放送番組のためのベアラを切り替えるための、コンピュータ読み取り可能な記録媒体上で実現されるコンピュータプログラム製品であって、
移動体放送320の受信信号品質を監視するためのコンピュータプログラムコードと、
前記ポータブル移動体通信装置のディスプレイを介して、選択された放送番組の元のベアラ上での前記受信信号品質が満足できないレベルに低下した場合330の前記選択された放送番組のための代替ベアラを指定させるためのコンピュータプログラムコードと、
前記ポータブル移動体通信装置上のユーザインタフェースから、前記選択された放送番組のための前記代替ベアラを特定する入力を受信するためのコンピュータプログラムコード360と、
前記移動体放送サービスプロバイダから前記ポータブル移動体通信装置へ放送中の前記選択された放送番組のベアラを切り替えるためのコンピュータプログラムコード395とを有することを特徴とするコンピュータプログラム製品。
【請求項１６】
前記移動体放送サービスプロバイダから前記ポータブル移動体通信装置へ放送中の前記選択された放送番組のベアラを切り替えるためのコンピュータプログラムコードが、前記選択された放送番組のための前記代替ベアラを特定する、前記受信された入力を処理し、前記代替ベアラへ切り替えさせる命令とともにメッセージを前記移動体放送サービスプロバイダへ無線送信するするためのコンピュータプログラムコードを有することを特徴とする請求項１５記載のコンピュータプログラム製品。
【請求項１７】
受信信号品質がポータブル移動体通信装置110において満足できないレベルに低下した場合に、移動体放送サービスプロバイダ132が放送する移動体放送番組の宛先を自動的に転換するための前記ポータブル移動体通信装置110であって、
移動体放送受信器254と、
前記受信信号品質が満足できないレベルに低下した場合に前記移動テレビ放送番組が代替装置へ自動的に宛先転換されることが可能なように、前記移動体放送の前記受信信号品質を監視するとともに前記移動体放送サービスプロバイダ132と通信可能な移動体放送宛先転換アプリケーション222を実行するプロセッサ220とを有することを特徴とするポータブル移動体通信装置110。
【請求項１８】
前記移動体放送の前記受信信号品質が、ピーク信号対雑音比(PSNR)測定値を用いて監視されることを特徴とする請求項１７記載のポータブル移動体通信装置110。
【請求項１９】
現在の前記ピーク信号対雑音比(PSNR)測定値が予め設定されたピーク信号対雑音比(PSNR)測定値を下回った場合に、満足できない信号品質レベルであると判定されることを特徴とする請求項１８記載のポータブル移動体通信装置110。
【請求項２０】
前記移動体放送の前記受信信号品質が、ビット誤り率(BER)測定値を用いて監視されることを特徴とする請求項１７記載のポータブル移動体通信装置110。
【請求項２１】
現在の前記ビット誤り率(BER)測定値が予め設定されたビット誤り率 (EBR)測定値を下回った場合に、満足できない信号品質レベルであると判定されることを特徴とする請求項２０記載のポータブル移動体通信装置110。
【請求項２２】
移動体放送サービスプロバイダ132がポータブル移動体通信装置110へ放送する移動体放送番組のためのベアラを自動的に切り替えるための、前記ポータブル移動体通信装置110における方法であって、
移動体放送320の受信信号品質を監視するステップと、
前記移動体放送の元のベアラ上での前記受信信号品質が満足できないレベルに低下した時点330を判定するステップと、
選択された放送番組に利用可能な代替ベアラを自動的に特定するステップ395と、
前記移動体放送サービスプロバイダから前記ポータブル移動体通信装置へ放送中の前記選択された放送番組について、自動的に前記放送代替ベアラに切り替えるステップ395とを有することを特徴とする方法。
【発明の詳細な説明】
【技術分野】
【０００１】
本発明はポータブル移動体通信装置及びシステムに関し、特には、ポータブル移動体通信装置を用いて移動体放送信号の宛先を代替装置へ転換させることが可能なポータブル移動体通信装置、システム及び方法に関する。
【背景技術】
【０００２】
携帯電話機のようなポータブル移動体通信装置は、より洗練され、多くの新しい機能や性能を有するようになってきている。そのような機能の１つは、DVB-H(Digital Video Broadcast-Handheld)、DMB(Digital Media Broadcast)、ISDB-T(Integrated Services Digital Broadcast-Terrestrial)、MBMS(Mobile Broadcast Multi-cast Service)、又はそれらの類似技術のような、移動体放送信号又は移動体テレビ等を受信する能力である。ポータブル移動体通信装置の既存の移動体無線受信器及び送信器によって受信可能なMBMSを除き、上述の全ての技術は携帯電話機に組み込む際に別個の移動体テレビチューナを用いる。
【０００３】
モバイルユーザにとって、移動体放送を受信できるという利便性は高い。しかし、受信した放送信号の品質が低下している場合、モバイルユーザはその映りに妥協せざるを得ないことがあった。信号品質の低下は、干渉、放送範囲を超えた移動、装置の不具合などを含む、多くの原因の結果として生じうる。不都合なことに、信号品質の低下は、視聴者が視聴を楽しんでいる間に起こりうる。そのような場合、視聴者は放送を見ることができないだけでなく、フラストレーションの原因となりうる。また、視聴者がその放送の視聴料を支払っていた場合、その視聴料も失うかもしれない。
【０００４】
現在、このようなユーザのジレンマを解決する対策は存在しない。そのため、現在の信号品質が受け入れがたいレベルまで低下した際に、ユーザが発信元からの移動体ビデオ放送の宛先を代替装置へ転換させることができる仕組みが必要とされている。
【発明の開示】
【０００５】
本発明の実施形態に従って、移動体放送サービスプロバイダにより放送されている移動体放送番組の宛先を転換するためのポータブル移動体通信装置が説明される。このポータブル移動体通信装置は、移動体放送装置と、移動体放送サービスプロバイダと通信可能な移動体放送転換アプリケーションが稼働するプロセッサと、ポータブル移動体通信装置での移動体放送の受信信号品質が低下した場合に、移動体放送コンテンツが別の装置へ転換されることが可能なように移動体放送転換アプリケーションを制御するためのユーザインタフェースとを含む。代替装置は、移動体放送サービスプロバイダとインターネット又は他のＩＰネットワークを介して接続され、かつ通信可能な、ホームメディアサーバ、コンピュータ、又は他のビデオ再生機器を含みうる。あるいは、そのポータブル移動体通信装置で移動体放送を受信するための別の代替ベアラを選択することもできる。
【発明を実施するための最良の形態】
【０００６】
図１は、本発明の実施形態に従って移動体放送の宛先を転換するための例示的なシステムのブロック図である。システム１００は、DVB-H(Digital Video Broadcast-Handheld)、DMB(Digital Media Broadcast)、ISDB-T(Integrated Services Digital Broadcast-Terrestrial)、MBMS(Mobile Broadcast Multi-cast Service)、又はそれらの類似技術であってよい。ポータブル移動体通信装置の既存の移動体無線受信器及び送信器によって受信可能なMBMSを除き、上述の全ての技術は携帯電話機に組み込む際に別個の移動体テレビチューナを用いる。
【０００７】
ポータブル移動体通信装置１１０は、コードレス電話機、セルラ電話機、携帯情報端末(PDA)、コミュニケータ、コンピュータ機器などであってよく、また、AMPS(Advanced Mobile Phone Service)、D-AMPS(Digital Advanced Mobile Phone Service)、GSM(Global System for Mobile Communications)、CDMA（符号分割多元接続）などのような特定の通信標準に固有のものではない。図２に示す、ポータブル移動体通信装置１１０の構成は、本発明を説明するためのものであり、本発明はいかなる特定な構成にも限定されない。
【０００８】
図２に示すポータブル移動体通信装置１１０は、通話及び他の通信の開始や実行を含む、ポータブル移動体通信装置１１０の動作の制御を容易にするためのオペレータ又はユーザインタフェース２１０を含むことができる。ユーザインタフェース２１０は、ポータブル移動体通信装置１１０の状態や動作に関して加入者又はユーザに視覚信号を提供するためのディスプレイ２１２を含むことができる。ディスプレイ２１２は、カラー画像を提示可能な液晶ディスプレイ(LCD)などであってよい。ディスプレイ２１２は画像、テキスト、数値、文字、グラフィカルユーザインタフェース(GUI)などの形式で、情報をユーザ又はオペレータに提供することができる。ディスプレイ２１２はまた、図３の方法３００に関して説明する、放送信号で搬送される番組を提示するためにも用いられる。
【０００９】
ユーザインタフェース２１２はまた、キーパッド及び、ジョイスティックなどのポインティングデバイスを含むファンクションキー又はボタン２１４を含むことができる。キーパッド、ファンクションボタン及びジョイスティック２１４は、電話番号をダイヤルしたり、通話を開始及び終了したり、移動体テレビプロバイダやインターネットへのアクセス、電子メール、テキストメッセージなどの送信及び受信といった他の通信を確立したりするために、ユーザがポータブル移動体通信装置１１０へコマンドを通信することを可能にする。キーパッド、ファンクションボタン及びジョイスティック２１４はまた、ポータブル移動体通信装置１１０の他の動作を制御するためにも用いることができる。キーパッド、ファンクションボタン及びジョイスティック２１４は、触覚入力を受信するように構成されたタッチパネルディスプレイによって実現されてもよい。
【００１０】
ディスプレイ２１２を、キーパッド、及びファンクションボタン２１４は、主プロセッサ及び制御ロジック部２２０に接続されてもよい。プロセッサ及び制御ロジック部２２０は、マイクロプロセッサなどであってよい。プロセッサ及び制御ロジック部２２０は、放送信号を別の宛先にリダイレクト可能な機能２２２を含むことができる。図３の方法においてポータブル移動体通信装置１１０に関して説明される機能や動作は、放送信号の宛先を転換するためのアプリケーション２２２において実施することができる。転換アプリケーション２２２は、ハードウェア、ファームウェア、ソフトウェア（データ構造）又はそれらの組み合わせによって実現することができる。プロセッサ及び制御ロジック部２２０はさらに、制御信号を符号化及び復号化したり、本明細書で説明する通信手順や他の機能を実行するための、他のデータ構造、ソフトウェアプログラム、コンピュータアプリケーションなどを含むことができる。
【００１１】
ユーザインタフェース２１０はまた、マイク及びスピーカ２１６を含むことができる。マイク２１６はユーザ又は他の音源から音声又は音響信号を受信することができる。マイク２１６は音声又は音響信号を電気信号に変換することができる。マイク２１６はプロセッサ及び制御ロジック部２２０に接続されることができ、プロセッサ及び制御ロジック部２２０は電気信号をベースバンド通信信号に変換することができる。プロセッサ及び制御ロジック部２２０は移動体無線送信器及び受信器２３０に接続されることができ、移動体無線送信器及び受信器２３０はプロセッサ及び制御ロジック部２２０からのベースバンド信号を無線周波数(RF)信号に変換することができる。移動体無線送信器及び受信器２３０は、RF信号を通信媒体または、移動体無線アクセスネットワーク(MRAN)１２０などのシステムへ送信するためのアンテナアセンブリ２４０に接続されることができる。移動体無線送信器及び受信器２３０はまた、MBMS標準に従った移動体放送を受信可能である。このシナリオにおいて、MRAN１２０は移動体放送サービスプロバイダとして振る舞う。
【００１２】
アンテナアセンブリ２４０は無線でRF信号を受信し、RF信号を移動体無線送信器及び受信器２３０へ転送することができる。移動体無線送信器及び受信器２３０は、RF信号をベースバンド信号に変換することができる。ベースバンド信号はプロセッサ及び制御ロジック部２２０に提供されることができ、そこで電気信号に変換されることができる。プロセッサ及び制御ロジック部２２０は電気信号をスピーカ２１６へ送信することができ、スピーカ２１６は電気信号をユーザが理解可能な音声信号に変換することができる。
【００１３】
ポータブル移動体通信装置１１０は、移動体放送装置２５０をさらに含むことができる。移動体放送装置２５０はDVB-H型装置などであってよい。移動体放送装置２５０はポータブル移動体通信装置１１０の一部として一体形成されてもよいし、ポータブル移動体通信装置１１０に接続され、ポータブル移動体通信装置１１０とともに動作する個別ユニットとして形成されてもよい。移動体放送装置２５０は、移動体放送サービスプロバイダ、放送無線アクセスネットワーク(B-RAN)１３０などからの番組の放送信号を受信するためのアンテナアセンブリ２５２を含むことができる。受信器２５４は、放送信号を受信するためにアンテナアセンブリ２５２に接続されうる。信号プロセッサ２５６は受信器２５４から放送信号を受信し、この信号を、ポータブル移動体通信装置１１０のディスプレイ２１２に提示するための形式に変換することができる。あるいは、信号プロセッサ２５６は受信器２３０から放送信号を受信し、この信号を、ポータブル移動体通信装置１１０のディスプレイ２１２に提示するための形式に変換してもよい。
【００１４】
B-RAN１３０は、ポータブル移動体通信装置１１０及び移動体放送装置２５０のような通信装置又は移動体放送装置へ放送するための移動体放送又はDVB-H放送信号を発信する。B-RAN１３０は放送信号を送信するための送信器を含むことができる。
【００１５】
B-RAN１３０は移動体放送サービスプロバイダ１３２に接続されることができる。移動体放送サービスプロバイダ１３２は、ポータブル移動体通信装置１１０又は移動体放送装置２５０にB-RAN１３０を介して放送するための番組を発信することができる。移動体放送サービスプロバイダ１３２は放送アプリケーションサーバ１３４を含むことができる。放送アプリケーションサーバ１３４は放送信号の宛先を転換するためのアプリケーション１３６を含むことができる。
【００１６】
B-RAN１３０は、インターネット１４０又は、インターネットプロトコル(IP)などを用いることのできる他のプライベートネットワークに接続されることができる。B-RAN１３０及び移動体放送サービスプロバイダ１３２は、放送信号の宛先転換を制御するための信号又はメッセージを、インターネット１４０を介して受信及び送信することができる。
【００１７】
図３の方法３００に関して説明するように、本発明の一実施形態において、コンピュータ１５０のようなサードパーティレコーダ又は、ホームメディアサーバ１６０のようなサードパーティ録再アプリケーションを、宛先転換された放送信号を受信し、リダイレクトされた放送信号によって搬送する番組を記録するためのオプションとして用いることができる。サードパーティ装置１５０、１６０は、宛先転換された放送番組を受信するため、インターネット１４０に接続されることができる。そして、ユーザは後日、サードパーティ装置１５０、１６０にアクセスし、録画された番組を再生することができる。コンピュータ１５０（又は他の類似装置）の場合、ユーザは、コンピュータ１５０及びその上でホスティングされる適切なアプリケーションを通じて、宛先転換された放送に直接アクセス可能である。ホームメディアサーバ１６０（又は他の類似装置）の場合、ユーザは、ホームメディアサーバ１６０に接続されるテレビ１７０（又はテレビモニタ）を介して、宛先転換された放送にアクセスすることが可能である。ホームメディアサーバ１６０及びテレビ１７０の組み合わせは、リダイレクトされた放送番組を読み出し、操作し、視聴するための適切なアプリケーションを含むであろう。ホームメディアサーバ１６０及びテレビ１７０の組み合わせは、パーソナルビデオレコーダ又はPVRとも呼ぶことができる。
【００１８】
宛先転換された番組の宛先としてのサードパーティ装置１５０、１６０の利用は、通常、移動体放送サービスプロバイダ１３２及び選択された１つ以上のサードパーティ装置１５０、１６０との間のインターネット１４０接続、好ましくはブロードバンド接続を介して実現されるであろう。ポータブル移動体通信装置１１０が有するM-RAN１２０を通じて移動体放送サービスプロバイダ１３２へ無線通信する能力を用いて、ユーザは、宛先転換された番組の宛先を、ユーザのポータブル移動体通信装置１１０から制御可能である。ポータブル移動体通信装置１１０上で稼働する宛先転換アプリケーション２２２は、選択された番組の１つ以上の宛先設定を示す制御信号を、移動体放送サービスプロバイダ１３２へ送信可能である。選択された設定がサードパーティ装置１５０、１６０であれば、移動体放送サービスプロバイダ１３２は、自身の宛先転換アプリケーション１３６を介して、ビデオストリームの宛先を求められた代替宛先へ、インターネット１４０を介して転換する。
【００１９】
図３は、本発明の実施形態に従って移動体放送の宛先を転換するための方法のフローチャートである。ブロック３１０において、ユーザ／視聴者は、ポータブル移動体通信装置に内蔵または接続される移動体放送受信器を、所望の番組を放送中のチャンネルに同調させる。ブロック３２０において、ポータブル移動体通信装置のアプリケーションは、受信された移動体放送の受信信号品質を監視する。ブロック３３０において、信号監視アプリケーションは、現在の受信信号品質が満足のいくものかどうかを判定する。受信信号品質は様々な方法で測定可能である。放送信号の信号対雑音比を測定し、測定値を予め設定された信号品質閾値と比較する方法は、その一例であろう。例えば、測定された信号対雑音比が、予め設定された時間に渡って信号品質閾値を下回り続けた場合に宛先転換の決定がなされるであろう。別の方法は、放送信号のビット誤り率(BER)を測定することであろう。これは、データが誤り訂正及び／又は検出手法を用いて送信される場合に実行可能である。誤り検出のみを行う手法の例は、データブロックに付加され、誤りが発生したことを検出するであろう巡回冗長チェック(CRC)であろう。誤り訂正手法の例は、誤りの検出及び訂正の両方を行うための付加ビットを用いた畳み込み符号であろう。これらはいずれも単位時間当たりの誤り率の計算に用いることができるであろう。
【００２０】
プログラムは内部で発生した誤りのレベルを誤り訂正処理の中で監視し、予め設定された時間に対する誤りレベルが予め設定された信号品質閾値を超えた場合に、宛先の転換をトリガする。信号品質閾値は、当初は、満足な信号品質と不満足な信号品質との線引きとして規定可能である。さらに、閾値は視聴者の許容度に合わせて手動で調整可能である。
【００２１】
受信信号品質が満足できるものであれば、ブロック３４０に示すように、ポータブル移動体通信装置は移動体放送の表示を継続する。受信信号はその後の受信信号品質の変化に備えて、引き続き監視される。
【００２２】
受信信号品質が満足できる程度にない場合、ブロック３５０において、放送番組の残りを別の宛先へ転換するか否か、または移動体放送を受信するための別のベアラへ切り替えるか否かを視聴者に問い合わせる。ユーザ／視聴者が放送の宛先転換をしないことを選択した場合、受信信号の品質にかかわらず、ポータブル移動体通信装置は移動体放送の表示を継続する。そうでなければ、ブロック３６０において、ユーザ／視聴者に、宛先転換オプションの選択を促す。４つの宛先転換オプションが列挙されている。容易に本発明に組み込み可能であるが、ここに列挙していない他の宛先転換オプションが存在していてもよい。従って、ここに記載される４つのオプションは、本発明の限定を意図していない。
【００２３】
ブロック３７０に示される最初の宛先転換オプションは、移動体放送の残りをホームサーバ宛先へ転換するものである。このオプションが選択されると、ポータブル移動体通信装置は、宛先転換アプリケーションを介し、要求を、M-RANを介して移動体放送サービスプロバイダへ送信されるメッセージの形式で生成する。メッセージは、SMS、MMS、HTTP（電子メール）メッセージなどであってよい。要求メッセージは少なくとも、宛先ホームメディアサーバへ宛先が転換される移動体放送番組を特定するデータと、その宛先ホームメディアサーバのIPアドレスを含むべきである。移動体放送サービスプロバイダは、メッセージを受信並びに処理すると、要求された移動体放送番組コンテンツを、宛先転換要求メッセージに含まれるIPアドレスへストリーミングするデータストリーミング動作を開始する。宛先ホームメディアサーバは、ストリーミングされたデータの受信並びに保存を開始する。宛先ホームメディアサーバは、宛先転換要求が実行されていることをポータブル移動体通信装置に知らせるため、確認応答メッセージをSMSなどを介してポータブル移動体通信装置へ返送可能である。そして、ユーザ／視聴者は、移動体放送番組の残りを、後でホームメディアサーバを用いて視聴可能である。
【００２４】
ブロック３８０に示される２番目の宛先転換オプションは、移動体放送の残りを宛先コンピュータへ転換するものである。このオプションが選択されると、ポータブル移動体通信装置は、宛先転換アプリケーションを介し、要求を、M-RANを介して移動体放送サービスプロバイダへ送信されるメッセージの形式で生成する。メッセージは、SMS、MMS、HTTP（電子メール）メッセージなどであってよい。要求メッセージは少なくとも、宛先コンピュータへ宛先が転換される移動体放送番組を特定するデータと、その宛先コンピュータのIPアドレスを含むべきである。移動体放送サービスプロバイダは、メッセージを受信並びに処理すると、要求された移動体放送番組コンテンツを、宛先転換要求メッセージに含まれるIPアドレスへストリーミングするデータストリーミング動作を開始する。宛先コンピュータは、ストリーミングされたデータの受信並びに保存を開始する。宛先コンピュータは、宛先転換要求が実行されていることをポータブル移動体通信装置に知らせるため、確認応答メッセージをSMSなどを介してポータブル移動体通信装置へ返送可能である。そして、ユーザ／視聴者は、移動体放送番組の残りを、後でコンピュータを用いて視聴可能である。
【００２５】
ブロック３９０に示される３番目の宛先転換オプションは、移動体放送の残りを宛先移動体ネットワーク(M-RAN)へ転換するものである。このオプションが選択されると、ポータブル移動体通信装置は、宛先転換アプリケーションを介し、要求を、M-RANを介して移動体放送サービスプロバイダへ送信されるメッセージの形式で生成する。メッセージは、SMS、MMS、HTTP（電子メール）メッセージなどであってよい。要求メッセージは少なくとも、宛先移動体ネットワーク(M-RAN)へ宛先が転換される移動体放送番組を特定するデータと、その宛先移動体ネットワーク(M-RAN)のIPアドレスを含むべきである。移動体放送サービスプロバイダは、メッセージを受信並びに処理すると、要求された移動体放送番組コンテンツを、宛先転換要求メッセージに含まれるIPアドレスへストリーミングするデータストリーミング動作を開始する。宛先移動体ネットワーク(M-RAN)は、ストリーミングされたデータの受信並びに、ユーザ／視聴者からアクセス可能な場所への保存を開始する。宛先移動体ネットワーク(M-RAN)は、宛先転換要求が実行されていることをポータブル移動体通信装置に知らせるため、確認応答メッセージをSMSなどを介してポータブル移動体通信装置へ返送可能である。そして、ユーザ／視聴者は、移動体放送番組の残りを、後でポータブル移動体通信装置を用いて視聴可能である。
【００２６】
ブロック３９５に示される４番目の宛先転換オプションは、ポータブル移動体通信装置に、移動体放送を受信するための代替ベアラへの切り替えを行わせるものである。このオプションは、移動体放送を別の装置へ送信させない点で、最初の３つのオプションと異なる。本オプションは、移動体放送サービスプロバイダに、別の放送手段へ切り替えて移動体放送の送信を継続することを依頼する。例えば、移動体放送がDVB-Hを用いているとすると、ユーザ／視聴者は、UMTS又はMBMS上のMPEG4のような他の放送方式を用いて番組の放送を継続するように要求することができる。一例において、コンテンツはIPゲートウェイを介してM-RANへ流れるようになるだろう。GPRS/E-GPRSセルラシステムにおけるIPゲートウェイの例はGGSN(GSM Gateway Service Node)である。そして、コンテンツはM-RANを通じて移動機へ送信されるであろう。
【００２７】
本発明に関するユーザへの任意の問い合わせ(prompt)は、インタラクティブ音声機能、ポータブル移動体通信装置上に提示されるグラフィカルユーザインタフェース(GUI)などを介して提示並びに応答されることができる。
【００２８】
本技術分野の当業者には理解されるであろうが、本発明は方法、システム、又はコンピュータプログラム製品として実施することができる。従って、本発明はハードウェアのみによる実施形態、ソフトウェアのみによる実施形態（ファームウェア、常駐ソフトウェア、マイクロコード等を含む）、又は、本明細書で一般に「回路」、「モジュール」又は「システム」と呼ぶことができる、ソフトウェア及びハードウェアの観点を組み合わせた実施形態の形式を取りうる。さらに、本発明は、コンピュータ利用可能な記録媒体上のコンピュータプログラム製品であって、記録媒体に実装されたコンピュータ利用可能なプログラムコードを有するコンピュータプログラム製品の形態を取りうる。
【００２９】
任意の好適なコンピュータ読み取り可能な媒体を用いることができる。コンピュータ利用可能又はコンピュータ読み取り可能な媒体を非限定的に例示すれば、電気、磁気、光学、電磁気、赤外線、又は半導体のシステム、装置、デバイス、又は伝播媒体であってよい。コンピュータ読み取り可能な媒体のより具体的な例（完全でないリスト）は以下の物を含むであろう。１つ又はそれより多い配線を含む電気的接続、ポータブルコンピュータディスケット、ハードディスク、ランダムアクセスメモリ(RAM)、読み出し専用メモリ(ROM)、消去可能なプログラマブル読み出し専用メモリ(EPROM又はフラッシュメモリ（登録商標））、光ファイバ、ポータブルコンパクトディスク読み出し専用メモリ(CD-ROM)、光学記憶装置、インターネット又はイントラネットをサポートする伝送媒体、又は磁気記憶装置。コンピュータ利用可能又はコンピュータ読み取り可能な媒体は、例えば紙や他の媒体を光学的に読み取り、コンパイル、インタプリット、又は必要に応じて適切な方法で他の処理を行い、コンピュータメモリに格納することが可能なように、プログラムが印刷される紙や他の適切な媒体であってもよい。この文脈において、コンピュータ利用可能又はコンピュータ読み取り可能な媒体とは、命令実行システム、装置又はデバイスによって、あるいはそれらと共に用いるためのプログラムを格納、保存、通信、伝播、又は伝送可能な任意の媒体であって良い。
【００３０】
本発明の動作を実行するためのコンピュータプログラムコードは、Java（登録商標）、Smalltalk又はC++のようなオブジェクト指向プログラミング言語で記述することができる。しかし、本発明の動作を実行するためのコンピュータプログラムコードは、プログラミング言語Ｃや、それに類似したプログラミング言語のような、従前からある手続き型プログラミング言語によっても記述することができる。プログラムコードは、その全部がユーザのコンピュータで実行されても、スタンドアロンソフトウェアパッケージのように一部がユーザのコンピュータで実行されてもよいし、一部がユーザのコンピュータ上、一部がリモートコンピュータ上で実行されてもよいし、全体がリモートコンピュータ又はサーバ上で実行されてもよい。後者のシナリオにおいて、リモートコンピュータはローカルエリアネットワーク(LAN)又は広域ネットワーク(WAN)を通じてユーザのコンピュータに接続されてもよいし、両者の接続は（例えば、インターネットサービスプロバイダを通じた）外部コンピュータを介して生成されてもよい。
【００３１】
本発明を、その実施形態に係る方法、装置（システム）及びコンピュータプログラム製品のフローチャート及び／又はブロック図を参照して説明してきた。フローチャート及び／又はブロック図における各ブロック及び、フローチャート及び／又はブロック図における複数のブロックの組み合わせは、コンピュータプログラム命令によって実施されうることを理解されたい。
【００３２】
これらコンピュータプログラム命令は、コンピュータ又は他のプログラム可能なデータ処理装置のプロセッサを通じて実行された際に、フローチャート及び／又はブロック図の１つ又は複数のブロックに規定される機能／振る舞いを実現するための手段を生成するように、汎用コンピュータ、特定用途コンピュータ又は、他のプログラム可能なデータ処理装置のプロセッサに提供されうる。
【００３３】
これらのコンピュータプログラム命令は、コンピュータ読み取り可能なメモリに格納された命令が、フローチャート及び／又はブロック図の１つ以上のブロックに記載される機能／振る舞いを実行する命令手段を含む製品(article of manufacture)を生成するような特定の方法で機能するように、コンピュータ又は他のプログラム可能なデータ処理装置に命令することが可能なコンピュータ読み取り可能なメモリ内に格納されることができる。
【００３４】
コンピュータプログラム命令は、コンピュータ又は他のプログラム可能なデータ処理装置で実行されるべき一連の動作ステップが、フローチャート及び／又はブロック図の１つ又は複数のブロックに規定される機能／振る舞いを実行するためのステップを提供するような、コンピュータにより実現されるプロセスを生成するように、コンピュータ又は他のプログラム可能なデータ処理装置に読み込まれてもよい。
【００３５】
図面におけるフローチャート及びブロック図は、本発明の様々な実施形態に係るシステム、方法及びコンピュータプログラム製品の実現として可能性のあるアーキテクチャ、機能及び動作を示している。この点において、フローチャート又はブロック図の各ブロックは、記載された１つ以上の論理的な機能を実現するための１つ又はそれより多い実行可能な命令を備えるモジュール、セグメント又はコード部分を表しうる。別の代替的な実装においては、ブロック中に記載されたそれらの機能は、図面の記載とは異なる順序で発生しうる点に留意されたい。例えば、連続して記載された２つのブロックは、含まれる機能性に応じて、実質的に同時に実行されうるし、また逆の順番で実行されることもあるだろう。ブロック図及び／又はフローチャート図の各ブロック及び、ブロック図及び／又はフローチャート図における複数のブロックの組み合わせは、記載された機能又は振る舞いを実行する特定用途ハードウェアに基づくシステム、又は特定用途ハードウェア及びコンピュータ命令の組み合わせによって実現可能である点にも留意されたい。
【００３６】
特定の実施形態について図示並びに説明してきたが、本技術分野に属する当業者には、同一目的を達成するために適合された任意の構成を特定の実施形態に対して置換されうること及び、本発明が他の環境において他の用途を有することが理解される。本出願は、本発明のいかなる改変並びに変形をも包含することを意図している。以下の特許請求の範囲は、本発明の範囲を上述した特定の実施形態に限定することを全く意図していない。
【図面の簡単な説明】
【００３７】
【図１】本発明の実施形態に従って移動体放送の宛先を転換するための例示的なシステムのブロック図である。
【図２】本発明の実施形態に従って移動体放送の宛先を転換するための、図１のシステム内で用いるための例示的なポータブル移動体通信装置のブロック図である。
【図３】本発明の実施形態に従って移動体放送の宛先を転換するための方法のフローチャートである。
【図１】
2009521836.tif 000003
【図２】
2009521836.tif 000004
【図３】
2009521836.tif 000005
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
受信信号品質がポータブル移動体通信装置110において満足できないレベルに低下した場合に、移動体放送サービスプロバイダ132が放送する移動体放送番組の宛先を転換するための前記ポータブル移動体通信装置110であって、
移動体放送受信器254と、
前記移動体放送の前記受信信号品質を監視するとともに、前記移動体放送サービスプロバイダ132と通信可能な移動体放送宛先転換アプリケーション222を実行するプロセッサ220と、
前記受信信号品質が満足できないレベルに低下した場合に前記移動テレビ放送番組が代替装置へ宛先転換されることが可能なように移動体放送装置250及び前記移動体放送宛先転換アプリケーション222を制御するためのユーザインタフェース210とを有することを特徴とするポータブル移動体通信装置110。
【請求項２】
移動体放送サービスプロバイダ132がポータブル移動体通信装置110へ放送する移動体放送番組の宛先を転換するための、前記ポータブル移動体通信装置110における方法であって、
移動体放送320の受信信号品質を監視するステップと、
前記ポータブル移動体通信装置のディスプレイを介して、選択された放送番組の前記受信信号品質が満足できないレベルに低下した場合330に前記選択された放送番組の代替宛先を指定させるステップと、
前記ポータブル移動体通信装置上のユーザインタフェースから、前記選択された放送番組の前記代替宛先を特定する入力を受信するステップと、
前記移動体放送サービスプロバイダからの前記選択された放送番組の宛先の前記代替宛先への転換を開始するステップ370, 380, 390, 395とを有することを特徴とする方法。
【請求項３】
前記移動体放送サービスプロバイダからの前記選択された放送番組の宛先を前記代替宛先へ転換させるステップ370, 380, 390, 395が、
前記選択された放送番組のための前記代替宛先を特定する、前記受信した入力を処理するステップと、
前記移動体放送サービスプロバイダからの前記選択された放送番組コンテンツを前記代替宛先のIPアドレスへストリーミングさせる命令とともにメッセージを前記移動体放送サービスプロバイダへ無線送信するステップとを有することを特徴とする請求項２記載の方法。
【請求項４】
前記代替宛先が、インターネット140を介して前記移動体放送サービスプロバイダ132に接続されるホームメディアサーバ370を含むことを特徴とする請求項２記載の方法。
【請求項５】
前記代替宛先が、インターネット140を介して前記移動体放送サービスプロバイダ132に接続されるコンピュータ380を含むことを特徴とする請求項２記載の方法。
【請求項６】
前記代替宛先が、インターネット140を介して前記移動体放送サービスプロバイダ132に接続される移動体無線アクセスネットワーク(M-RAN)390を含むことを特徴とする請求項２記載の方法。
【請求項７】
移動体放送サービスプロバイダ132がポータブル移動体通信装置110へ放送する移動体放送番組のためのベアラを切り替えるための、前記ポータブル移動体通信装置110における方法であって、
移動体放送320の受信信号品質を監視するステップと、
前記ポータブル移動体通信装置のディスプレイを介して、選択された放送番組の元のベアラ上での前記受信信号品質が満足できないレベルに低下した場合330の前記選択された放送番組のための代替ベアラを指定させるステップと、
前記ポータブル移動体通信装置上のユーザインタフェースから、前記選択された放送番組のための前記代替ベアラを特定する入力を受信するステップ360と、
前記移動体放送サービスプロバイダから前記ポータブル移動体通信装置へ放送中の前記選択された放送番組のベアラを切り替えるステップ395とを有することを特徴とする方法。
【請求項８】
前記移動体放送サービスプロバイダから前記ポータブル移動体通信装置へ放送中の前記選択された放送番組のベアラを切り替えるステップが、
前記選択された放送番組のための前記代替ベアラを特定する、前記受信された入力を処理するステップと、
前記代替ベアラへ切り替えさせる命令とともにメッセージを前記移動体放送サービスプロバイダへ無線送信するステップとを有することを特徴とする請求項７記載の方法。
【請求項９】
受信信号品質がポータブル移動体通信装置110において満足できないレベルに低下した場合に、移動体放送サービスプロバイダ132が放送する移動体放送番組の宛先を自動的に転換するための前記ポータブル移動体通信装置110であって、
移動体放送受信器254と、
前記受信信号品質が満足できないレベルに低下した場合に前記移動テレビ放送番組が代替装置へ自動的に宛先転換されることが可能なように、前記移動体放送の前記受信信号品質を監視するとともに前記移動体放送サービスプロバイダ132と通信可能な移動体放送宛先転換アプリケーション222を実行するプロセッサ220とを有することを特徴とするポータブル移動体通信装置110。
【請求項１０】
移動体放送サービスプロバイダ132がポータブル移動体通信装置110へ放送する移動体放送番組のためのベアラを自動的に切り替えるための、前記ポータブル移動体通信装置110における方法であって、
移動体放送320の受信信号品質を監視するステップと、
前記移動体放送の元のベアラ上での前記受信信号品質が満足できないレベルに低下した時点330を判定するステップと、
選択された放送番組に利用可能な代替ベアラを自動的に特定するステップ395と、
前記移動体放送サービスプロバイダから前記ポータブル移動体通信装置へ放送中の前記選択された放送番組について、自動的に前記放送代替ベアラに切り替えるステップ395とを有することを特徴とする方法。
【手続補正２】
【補正対象書類名】明細書
【補正対象項目名】００２７
【補正方法】変更
【補正の内容】
【００２７】
本発明に関するユーザへの任意の問い合わせ(prompt)は、インタラクティブ音声機能、ポータブル移動体通信装置上に提示されるグラフィカルユーザインタフェース(GUI)などを介して提示並びに応答されることができる。
本発明の実施形態は、ポータブル移動体通信装置110において、移動体放送サービスプロバイダ132が前記ポータブル移動体通信装置110へ放送する移動体放送番組の宛先を転換するための、コンピュータ読み取り可能な記録媒体上で実現されるコンピュータプログラム製品であって、移動体放送320の受信信号品質を監視するためのコンピュータプログラムコードと、前記ポータブル移動体通信装置のディスプレイを介して、選択された放送番組の前記受信信号品質が満足できないレベルに低下した場合330に前記選択された放送番組の代替宛先を指定させるためのコンピュータプログラムコードと、前記ポータブル移動体通信装置上のユーザインタフェースから、前記選択された放送番組の前記代替宛先を特定する入力を受信するためのコンピュータプログラムコード360と、前記移動体放送サービスプロバイダからの前記選択された放送番組の宛先を前記代替宛先へ転換させるためのコンピュータプログラムコード370, 370, 380, 395とを有することを特徴とするコンピュータプログラム製品を含む。前記移動体放送サービスプロバイダからの前記選択された放送番組の宛先を前記代替宛先へ転換させるためのコンピュータプログラムコード370, 380, 390, 395は、前記選択された放送番組のための前記代替宛先を特定する、前記受信した入力を処理するステップと、前記移動体放送サービスプロバイダからの前記選択された放送番組コンテンツを前記代替宛先のIPアドレスへストリーミングさせる命令とともにメッセージを前記移動体放送サービスプロバイダへ無線送信するステップとを有することができる。
本発明の実施形態は、ポータブル移動体通信装置110において、移動体放送サービスプロバイダ132が前記ポータブル移動体通信装置110へ放送する移動体放送番組のためのベアラを切り替えるための、コンピュータ読み取り可能な記録媒体上で実現されるコンピュータプログラム製品であって、移動体放送320の受信信号品質を監視するためのコンピュータプログラムコードと、前記ポータブル移動体通信装置のディスプレイを介して、選択された放送番組の元のベアラ上での前記受信信号品質が満足できないレベルに低下した場合330の前記選択された放送番組のための代替ベアラを指定させるためのコンピュータプログラムコードと、前記ポータブル移動体通信装置上のユーザインタフェースから、前記選択された放送番組のための前記代替ベアラを特定する入力を受信するためのコンピュータプログラムコード360と、前記移動体放送サービスプロバイダから前記ポータブル移動体通信装置へ放送中の前記選択された放送番組のベアラを切り替えるためのコンピュータプログラムコード395とを有することを特徴とするコンピュータプログラム製品を含む。前記移動体放送サービスプロバイダから前記ポータブル移動体通信装置へ放送中の前記選択された放送番組のベアラを切り替えるためのコンピュータプログラムコードは、前記選択された放送番組のための前記代替ベアラを特定する、前記受信された入力を処理し、前記代替ベアラへ切り替えさせる命令とともにメッセージを前記移動体放送サービスプロバイダへ無線送信するするためのコンピュータプログラムコードを有することができる。
本発明の実施形態によれば、前記移動体放送の前記受信信号品質は、ピーク信号対雑音比(PSNR)測定値を用いて監視されることができる。現在の前記ピーク信号対雑音比(PSNR)測定値が予め設定されたピーク信号対雑音比(PSNR)測定値を下回った場合に、満足できない信号品質レベルであると判定されることができる。前記移動体放送の前記受信信号品質は、ビット誤り率(BER)測定値を用いて監視されることができる。現在の前記ビット誤り率(BER)測定値が予め設定されたビット誤り率 (BER)測定値を下回った場合に、満足できない信号品質レベルであると判定されることができる。
【国際調査報告】
2009521836.tif 000006
2009521836.tif 000007